(57)【要約】【課題】アンケートの開始からアンケート収集までに要する作業を削減することが可能なアンケート収集システムを提供する。【解決手段】エンドユーザが使用する通信端末１０は、アンケート収集に必要な情報を定義したファイルをフォーマット化して登録しているアンケートデータサーバ４０にアクセスして取得したアンケートリスト定義ファイル４１に登録されている全てのアンケート項目をエンドユーザに提示することにより、選択されたいずれかのアンケート項目に関するアンケート内容を含むアンケート内容定義ファイル４２をアンケートデータサーバ４０からさらに取得して、エンドユーザに該アンケート内容を提示することにより、該アンケート内容に対する回答が得られた際に、直ちに、該回答を含むアンケート結果を、取得したアンケート内容定義ファイル４２に含まれているアンケート結果送付先に指定されているアンケート結果受信サーバ５０に対して送信する。【選択図】        図１
2018169726.tif 000002
【特許請求の範囲】
【請求項１】
アンケートの対象となるエンドユーザが使用する通信端末からのアンケート回答結果を、インターネット網を介して収集するアンケート収集システムであって、
アンケート実施に必要な情報を定義したファイルをあらかじフォーマット化して、アンケート対象とする全てのアンケート項目を含むアンケートリスト定義ファイル、ならびに該アンケート項目それぞれに関するアンケート内容およびアンケート結果送付先またはアンケート結果格納先を含むアンケート内容定義ファイルを保有するアンケートデータサーバと、
前記通信端末からのアンケート結果を求める企業専用のサーバであって、前記アンケート結果送付先として指定することができるアンケート結果受信サーバとを
前記インターネット網に接続した状態で備え、
前記通信端末からのアンケート項目の取得要求があった際に、前記アンケートデータサーバは、保有している全てのアンケート項目を含む前記アンケートリスト定義ファイルを、要求元の前記通信端末に対して送信して、アンケート一覧として前記通信端末に画面表示させてエンドユーザに提示し、
前記通信端末において、前記アンケート一覧として画面表示された全てのアンケート項目のうちいずれかのアンケート項目を選択して、選択した該アンケート項目に関するアンケート内容の取得要求を前記アンケートデータサーバに対して送信することにより、選択した前記アンケート項目に関する前記アンケート内容定義ファイルを、前記アンケートデータサーバから要求元の前記通信端末に対して送信して、前記アンケート内容定義ファイルに含まれているアンケート内容をアンケート内容画面として前記通信端末に画面表示させてエンドユーザに提示し、
前記通信端末において、前記アンケート内容画面として画面表示された前記アンケート内容に対する回答を設定した際に、該回答を含むアンケート結果を、前記通信端末から前記アンケート結果送付先が示す前記アンケート結果受信サーバに対して送信するか、または、前記通信端末から前記アンケートデータサーバに対して送信して前記アンケート結果格納先が示す前記アンケートデータサーバ内のアンケート結果格納部に格納する
ことを特徴とするアンケート収集システム。
【請求項２】
前記アンケート内容定義ファイルに前記アンケート結果送付先が設定されている場合、前記通信端末において前記アンケート内容に対する回答が得られる都度、該回答を含むアンケート結果を、リアルタイムに前記アンケート結果送付先に対して送信し、
一方、前記アンケート内容定義ファイルに前記アンケート結果格納先が設定されている場合、前記通信端末において前記アンケート内容に関する回答が得られた際に、該回答を含むアンケート結果を前記アンケートデータサーバ内の前記アンケート結果格納部に格納した後、前記アンケートデータサーバに対して、前記アンケート項目に関するアンケート結果取得要求があった際に、前記アンケート結果格納部に格納されているアンケート結果のうち、要求された前記アンケート項目に関する前記アンケート結果を、要求元に対して送信する
ことを特徴とする請求項１に記載のアンケート収集システム。
【請求項３】
前記アンケート結果送付先として設定した前記アンケート結果受信サーバが前記通信端末からのアンケート結果を受信した際に、該アンケート結果に対する応答として、前記アンケート結果受信サーバにあらかじめ用意されているアンケート応答定義ファイルに登録されている情報を、該アンケート結果の送信元の前記通信端末に対して返信する
ことを特徴とする請求項１または２に記載のアンケート収集システム。
【請求項４】
前記アンケートデータサーバの前記アンケートリスト定義ファイルは、アンケート項目を示すアンケート名情報、該アンケート項目に関するアンケート内容定義ファイルが所在する場所を示すアンケート内容定義ファイルＵＲＬ情報を含むファイルフォーマットからなり、
また、前記アンケートデータサーバの前記アンケート内容定義ファイルは、アンケート項目の内容を示すアンケート内容、該アンケート内容に対する回答となる複数の選択項目からなる選択肢情報または回答となる自由記述形式の回答用記述欄、アンケート結果の取得方法として、アンケート結果を作成する都度送付するアンケート結果送付先または作成したアンケート結果を前記アンケートデータサーバ内の前記アンケート結果格納部に格納するアンケート結果格納先のいずれかを選択して設定する結果取得方法情報を含むファイルフォーマットからなる
ことを特徴とする請求項１ないし３のいずれかに記載のアンケート収集システム。
【請求項５】
アンケート実施に必要な情報として、前記アンケート名情報、前記アンケート内容、前記選択肢情報と前記回答用記述欄とのいずれかを選択する選択情報と前記選択肢情報を選択した場合の前記選択項目、前記結果取得方法情報として前記アンケート結果送付先または前記アンケート結果格納先のいずれかを選択する選択情報と選択した側の宛先を示す情報、の各情報を含む情報を、当該アンケートに対するアンケート結果を求める企業が使用する任意の機器から、前記アンケートデータサーバに対して送信する
ことを特徴とする請求項４に記載のアンケート収集システム。
【請求項６】
アンケートの対象となるエンドユーザが使用する通信端末からのアンケート回答結果を、インターネット網を介して収集するアンケート収集方法であって、
アンケート実施に必要な情報を定義したファイルをあらかじフォーマット化して、アンケート対象とする全てのアンケート項目を含むアンケートリスト定義ファイル、ならびに該アンケート項目それぞれに関するアンケート内容およびアンケート結果送付先またはアンケート結果格納先を含むアンケート内容定義ファイルを保有するアンケートデータサーバと、
前記通信端末からのアンケート結果を求める企業専用のサーバであって、前記アンケート結果送付先として指定することができるアンケート結果受信サーバとを
前記インターネット網に接続した状態で備え、
前記通信端末からのアンケート項目の取得要求があった際に、前記アンケートデータサーバは、保有している全てのアンケート項目を含む前記アンケートリスト定義ファイルを、要求元の前記通信端末に対して送信して、アンケート一覧として前記通信端末に画面表示させてエンドユーザに提示し、
前記通信端末において、前記アンケート一覧として画面表示された全てのアンケート項目のうちいずれかのアンケート項目を選択して、選択した該アンケート項目に関するアンケート内容の取得要求を前記アンケートデータサーバに対して送信することにより、選択した前記アンケート項目に関する前記アンケート内容定義ファイルを、前記アンケートデータサーバから要求元の前記通信端末に対して送信して、前記アンケート内容定義ファイルに含まれているアンケート内容をアンケート内容画面として前記通信端末に画面表示させてエンドユーザに提示し、
前記通信端末において、前記アンケート内容画面として画面表示された前記アンケート内容に対する回答を設定した際に、該回答を含むアンケート結果を、前記通信端末から前記アンケート結果送付先が示す前記アンケート結果受信サーバに対して送信するか、または、前記通信端末から前記アンケートデータサーバに対して送信して前記アンケート結果格納先が示す前記アンケートデータサーバ内のアンケート結果格納部に格納する
ことを特徴とするアンケート収集方法。
【請求項７】
前記アンケート内容定義ファイルに前記アンケート結果送付先が設定されている場合、前記通信端末において前記アンケート内容に対する回答が得られる都度、該回答を含むアンケート結果を、リアルタイムに前記アンケート結果送付先に対して送信し、
一方、前記アンケート内容定義ファイルに前記アンケート結果格納先が設定されている場合、前記通信端末において前記アンケート内容に関する回答が得られた際に、該回答を含むアンケート結果を前記アンケートデータサーバ内の前記アンケート結果格納部に格納した後、前記アンケートデータサーバに対して、前記アンケート項目に関するアンケート結果取得要求があった際に、前記アンケート結果格納部に格納されているアンケート結果のうち、要求された前記アンケート項目に関する前記アンケート結果を、要求元に対して送信する
ことを特徴とする請求項６に記載のアンケート収集方法。
【請求項８】
前記アンケート結果送付先として設定した前記アンケート結果受信サーバが前記通信端末からのアンケート結果を受信した際に、該アンケート結果に対する応答として、前記アンケート結果受信サーバにあらかじめ用意されているアンケート応答定義ファイルに登録されている情報を、該アンケート結果の送信元の前記通信端末に対して返信する
ことを特徴とする請求項６または７に記載のアンケート収集方法。
【請求項９】
前記アンケートデータサーバの前記アンケートリスト定義ファイルは、アンケート項目を示すアンケート名情報、該アンケート項目に関するアンケート内容定義ファイルが所在する場所を示すアンケート内容定義ファイルＵＲＬ情報を含むファイルフォーマットからなり、
また、前記アンケートデータサーバの前記アンケート内容定義ファイルは、アンケート項目の内容を示すアンケート内容、該アンケート内容に対する回答となる複数の選択項目からなる選択肢情報または回答となる自由記述形式の回答用記述欄、アンケート結果の取得方法として、アンケート結果を作成する都度送付するアンケート結果送付先または作成したアンケート結果を前記アンケートデータサーバ内の前記アンケート結果格納部に格納するアンケート結果格納先のいずれかを選択して設定する結果取得方法情報を含むファイルフォーマットからなる
ことを特徴とする請求項６ないし８のいずれかに記載のアンケート収集方法。
【請求項１０】
アンケート実施に必要な情報として、前記アンケート名情報、前記アンケート内容、前記選択肢情報と前記回答用記述欄とのいずれかを選択する選択情報と前記選択肢情報を選択した場合の前記選択項目、前記結果取得方法情報として前記アンケート結果送付先または前記アンケート結果格納先のいずれかを選択する選択情報と選択した側の宛先を示す情報、の各情報を少なくとも含む情報を、当該アンケートに対するアンケート結果を求める企業が使用する任意の機器から、前記アンケートデータサーバに対して送信する
ことを特徴とする請求項９に記載のアンケート収集方法。
【発明の詳細な説明】
【技術分野】
【０００１】
本発明は、アンケート収集システムおよびアンケート収集方法に関し、特に、インターネット網を利用したアンケート調査を実施するアンケート収集システムおよびアンケート収集方法に関する。
【背景技術】
【０００２】
企業が新商品を開発する際に、他企業の商品との差別化を図るということは重要であるが、実際に商品に触れるエンドユーザの意見を収集するという市場のマーケティング調査を実施することも重要な要素の一つである。新商品に新機能として取り入れた機能であっても、エンドユーザに「使うシーンが無い」、「別に無くても良い機能」と判断されてしまえば、無駄な開発となってしまう。エンドユーザの意見を入手する場合、一般的には、アンケートによる意見収集が行われる。新商品の開発前にエンドユーザに対してアンケートを実施し、エンドユーザのアンケート結果から意見の多かった機能を次の新商品に取り入れることができれば、有益な機能となり、開発が無駄となることも大幅に低減することができる。
【０００３】
アンケートの収集方法として、今までは、街頭に出てエンドユーザに直接アンケートを実施してアンケートの回答を得る手法や、ダイレクトメールをエンドユーザに配信して意見を入手する手法などが実施されてきた。しかし、これらのアンケート収集方法は、アンケートを回収する企業側にとって負担が大きく、なかなか着手することが困難となっているという現状があり、また、それと同時に、アンケート作成作業上の課題にもなっていた。
【０００４】
このため、インターネット網を利用して、アンケート調査を行う技術が提案されるようになってきている。例えば、特許文献１の特開２００２−０９９６７１号公報「アンケート方法およびアンケートサーバ」においては、アンケート対象のユーザの個人情報を商品モニタ用ユーザとしてアンケートサーバにあらかじめ登録しておき、アンケート内容、アンケート打ち切り条件、アンケート対象者の選定条件等に基づいて、選定した対象者に対して、アンケートを実施するような仕組みを提案している。しかし、該特許文献１においては、アンケート対象者を事前にアンケートサーバに登録しておくことが必要であり、アンケート対象となるエンドユーザの母集団が少ない集団に限られてしまうという問題が残ってしまう。
【０００５】
また、特許文献２の特許第３７５２９３６号公報「アンケートシステム」においては、アンケートを実施しようとする企業にアンケートデータ入力装置やアンケートデータ格納装置やアンケート配布・収集装置やアンケート回答格納装置等をインターネット網に接続して備えることにより、アンケート用紙作成からアンケート分析結果報告までの全てのアンケート作業を自動化し、アンケート実施の期間短縮を図ろうとしている。しかし、該特許文献２においては、各企業が前述のような各種の装置を保有していることが前提となっていて、自社内で閉じたアンケートの実施となっているという問題がある。また、アンケート結果は、アンケート回答格納装置にアクセスして初めて収集することができる仕組みであり、リアルタイム性が低くなってしまうといった問題もある。
【先行技術文献】
【特許文献】
【０００６】
【特許文献１】特開２００２−０９９６７１号公報
【特許文献２】特許第３７５２９３６号公報
【発明の概要】
【発明が解決しようとする課題】
【０００７】
以上のように、前記特許文献１や前記特許文献２等の本発明に関連する現状の技術においては、企業が、アンケートを開始するまでのプロセスに様々な作業が発生するため、アンケート結果を入手するまでの敷居が高いし、かつ、実施したアンケート結果をリアルタイムに収集することができないという問題がある。さらには、自前のデータサーバを持たないような企業の場合は、インターネット網を利用したアンケート調査を行うことができないため、アンケート収集方法が限定されてしまい、敷居がさらに高くなっているという問題がある。
【０００８】
一方、アンケート結果を回収する企業にとっては、正確なアンケート結果さえできるだけ早くリアルタイムに入手することができれば良いのであって、アンケート結果の入手に至るまでの収集プロセスについては、当該企業独自のプロセスである必要性は少なく、また、アンケート結果を収集するまでのプロセスそのものについては他の企業と共通化して、アンケート収集作業の負担を軽減することができることが好ましいものと想定される。
【０００９】
（本発明の目的）
本発明は、以上のような事情に鑑みてなされたものであり、アンケートの開始からアンケート収集までに要する作業を大幅に削減することが可能なアンケート収集システムおよびアンケート収集方法を提供することを、その目的としている。
【課題を解決するための手段】
【００１０】
前述の課題を解決するため、本発明によるアンケート収集システムおよびアンケート収集方法は、主に、次のような特徴的な構成を採用している。
【００１１】
（１）本発明によるアンケート収集システムは、
アンケートの対象となるエンドユーザが使用する通信端末からのアンケート回答結果を、インターネット網を介して収集するアンケート収集システムであって、
アンケート実施に必要な情報を定義したファイルをあらかじフォーマット化して、アンケート対象とする全てのアンケート項目を含むアンケートリスト定義ファイル、ならびに該アンケート項目それぞれに関するアンケート内容およびアンケート結果送付先またはアンケート結果格納先を含むアンケート内容定義ファイルを保有するアンケートデータサーバと、
前記通信端末からのアンケート結果を求める企業専用のサーバであって、前記アンケート結果送付先として指定することができるアンケート結果受信サーバとを
前記インターネット網に接続した状態で備え、
前記通信端末からのアンケート項目の取得要求があった際に、前記アンケートデータサーバは、保有している全てのアンケート項目を含む前記アンケートリスト定義ファイルを、要求元の前記通信端末に対して送信して、アンケート一覧として前記通信端末に画面表示させてエンドユーザに提示し、
前記通信端末において、前記アンケート一覧として画面表示された全てのアンケート項目のうちいずれかのアンケート項目を選択して、選択した該アンケート項目に関するアンケート内容の取得要求を前記アンケートデータサーバに対して送信することにより、選択した前記アンケート項目に関する前記アンケート内容定義ファイルを、前記アンケートデータサーバから要求元の前記通信端末に対して送信して、前記アンケート内容定義ファイルに含まれているアンケート内容をアンケート内容画面として前記通信端末に画面表示させてエンドユーザに提示し、
前記通信端末において、前記アンケート内容画面として画面表示された前記アンケート内容に対する回答を設定した際に、該回答を含むアンケート結果を、前記通信端末から前記アンケート結果送付先が示す前記アンケート結果受信サーバに対して送信するか、または、前記通信端末から前記アンケートデータサーバに対して送信して前記アンケート結果格納先が示す前記アンケートデータサーバ内のアンケート結果格納部に格納する
ことを特徴とする。
【００１２】
（２）本発明によるアンケート収集方法は、
アンケートの対象となるエンドユーザが使用する通信端末からのアンケート回答結果を、インターネット網を介して収集するアンケート収集方法であって、
アンケート実施に必要な情報を定義したファイルをあらかじフォーマット化して、アンケート対象とする全てのアンケート項目を含むアンケートリスト定義ファイル、ならびに該アンケート項目それぞれに関するアンケート内容およびアンケート結果送付先またはアンケート結果格納先を含むアンケート内容定義ファイルを保有するアンケートデータサーバと、
前記通信端末からのアンケート結果を求める企業専用のサーバであって、前記アンケート結果送付先として指定することができるアンケート結果受信サーバとを
前記インターネット網に接続した状態で備え、
前記通信端末からのアンケート項目の取得要求があった際に、前記アンケートデータサーバは、保有している全てのアンケート項目を含む前記アンケートリスト定義ファイルを、要求元の前記通信端末に対して送信して、アンケート一覧として前記通信端末に画面表示させてエンドユーザに提示し、
前記通信端末において、前記アンケート一覧として画面表示された全てのアンケート項目のうちいずれかのアンケート項目を選択して、選択した該アンケート項目に関するアンケート内容の取得要求を前記アンケートデータサーバに対して送信することにより、選択した前記アンケート項目に関する前記アンケート内容定義ファイルを、前記アンケートデータサーバから要求元の前記通信端末に対して送信して、前記アンケート内容定義ファイルに含まれているアンケート内容をアンケート内容画面として前記通信端末に画面表示させてエンドユーザに提示し、
前記通信端末において、前記アンケート内容画面として画面表示された前記アンケート内容に対する回答を設定した際に、該回答を含むアンケート結果を、前記通信端末から前記アンケート結果送付先が示す前記アンケート結果受信サーバに対して送信するか、または、前記通信端末から前記アンケートデータサーバに対して送信して前記アンケート結果格納先が示す前記アンケートデータサーバ内のアンケート結果格納部に格納する
ことを特徴とする。
【発明の効果】
【００１３】
本発明のアンケート収集システムおよびアンケート収集方法によれば、以下のような効果を奏することができる。
【００１４】
第１の効果は、アンケート結果を求める企業は、アンケートの開始からアンケート収集に至るまでに要する作業を大幅に削減することができることである。その理由は、アンケート作成に必要な情報をフォーマット化してアンケートリスト定義ファイルとアンケート内容定義ファイルとしてアンケートデータサーバにあらかじめ用意しているので、アンケート結果を求める企業は、アンケートに必要な最低限の情報のみをアンケートデータサーバに送信するだけで、フォーマット化したアンケートリスト定義ファイルとアンケート内容定義ファイルとに設定することができ、アンケート結果を取得することができる仕組みを実現していることにある。而して、街頭アンケートやダイレクトメール送付といったようなアンケート結果の入手までの収集プロセスを全く不要としている。
【００１５】
第２の効果は、アンケート結果を求める企業は、リアルタイムにアンケート結果を入手することが可能となっていることである。その理由は、アンケートデータサーバのアンケート内容定義ファイルのフォーマットとして、アンケート結果が得られる都度、直ちに、アンケート結果をアンケート結果送付先に対して送信することができるように設定することが可能であり、かつ、該アンケート結果送付先として、アンケート結果を求める企業が運営しているアンケート結果受信サーバを指定することを可能にしているので、該アンケート結果受信サーバにおいてアンケート結果をリアルタイムに取得することができることにある。
【００１６】
第３の効果は、アンケート結果を求める企業は、アンケート内容の変更を行うことが容易に可能になっていることである。その理由は、アンケートデータサーバに用意されているアンケートリスト定義ファイルやアンケート内容定義ファイルに設定した内容を変更するだけで、エンドユーザが使用する通信端末に対して問い合わせるアンケート内容を任意の内容に変更することができることにある。
【図面の簡単な説明】
【００１７】
【図１】本発明に係るアンケート収集システムのシステム構成の一例を示すシステム構成図である。
【図２】図１のアンケートデータサーバに備えたアンケートリスト定義ファイルのファイルフォーマットの一例を説明するための説明図である。
【図３】図１の通信端末に画面表示したアンケートリスト画面の一例を示す模式図である。
【図４】図１のアンケートデータサーバに備えたアンケート内容定義ファイルのファイルフォーマットの一例を説明するための説明図である。
【図５】図１の通信端末に画面表示したアンケート内容画面の一例を示す模式図である。
【図６】図１に示したアンケート収集システムの通信端末におけるアンケート実施に関する動作の一例を示すシーケンスチャートである。
【図７】図１のアンケートデータサーバに備えたアンケート内容定義ファイルの図４とは異なるファイルフォーマットの一例を説明するための説明図である。
【図８】図１のアンケートデータサーバのアンケート結果格納部に格納されたアンケート結果の画面表示例を示す模式図である。
【図９】図１に示したアンケート収集システムにおけるアンケート実施に関する動作の図６とは異なる例を示すシーケンスチャートである。
【図１０】図１のアンケート必要企業データサーバに備えたアンケート応答定義ファイルのファイルフォーマットの一例を説明するための説明図である。
【図１１】図１の通信端末に画面表示したアンケート応答画面の一例を示す模式図である。
【図１２】図１に示したアンケート収集システムにおけるアンケート実施に関する動作の図６、図９とは異なる例を示すシーケンスチャートである。
【発明を実施するための形態】
【００１８】
以下、本発明によるアンケート収集システムおよびアンケート収集方法の好適な実施形態について添付図を参照して説明する。なお、以下の説明においては、本発明によるアンケート収集システムおよびアンケート収集方法について説明するが、かかるアンケート収集方法をコンピュータにより実行可能なアンケート収集プログラムとして実施するようにしても良いし、あるいは、アンケート収集プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００１９】
（本発明の特徴）
本発明の実施形態の説明に先立って、本発明の特徴についてその概要をまず説明する。本発明は、アンケート収集に必要な情報を定義したファイルをあらかじフォーマット化して、全てのアンケート項目を含むアンケートリスト定義ファイルと、各アンケート項目に関するアンケート内容とアンケート結果送付先またはアンケート結果格納先とを少なくとも含むアンケート内容定義ファイルと、をアンケートデータサーバに保有することを、主要な特徴とし、而して、アンケート作成の手間や管理負担を軽減することを可能にしている。さらに、アンケート結果の通知方法を任意に変更することを可能とすることも主要な特徴としており、而して、リアルタイムなアンケート結果収集や、サーバを保有していない企業であっても、アンケート実施が容易に可能になる仕組みを提供している。
【００２０】
より具体的には、本発明は、以下のような仕組みを採用していることを主要な特徴としている。
【００２１】
まず、本発明においては、全てのアンケート項目に関するリストを格納したファイルと各アンケートの内容を記載したファイルとの２種類のファイルをフォーマット化した形式で用意している。以降の説明においては、前者の全てのアンケート項目に関するリストを格納したファイルを“アンケートリスト定義ファイル”、後者の各アンケートの内容を記載したファイルを“アンケート内容定義ファイル”と称することとする。
【００２２】
ここで、前述の２種類のファイルに記載する情報について説明する。“アンケートリスト定義ファイル”には、全てのアンケート項目に関するリスト情報を格納している。例えば、「食品に関するアンケート」や「住宅に関するアンケート」といった項目をアンケート項目としてリスト形式で記載しておき、各アンケート項目毎に、次にアクセスする“アンケート内容定義ファイル”のＵＲＬ（Uniform  Resource  Locator）情報を紐付けして記載しておく。なお、“アンケートリスト定義ファイル”が格納されているアクセス先は固定的なＵＲＬとして定義しておく。
【００２３】
一方、“アンケート内容定義ファイル”には、各アンケート項目のアンケート内容とアンケート結果を送信する送信先のＵＲＬ情報とを少なくとも記載しておく。なお、“アンケート内容定義ファイル”は、“アンケートリスト定義ファイル”のリストに記載されているアンケート項目数分だけ用意している。
【００２４】
次に、本発明は、モバイルルータやスマートフォン等の通信端末内のアンケート用のアプリケーションにおいて、まず、固定的なアクセス先の“アンケートリスト定義ファイル”にアクセスして、取得した全てのアンケート項目に関するリストをアンケート一覧としてディスプレイに画面表示する。次に、画面表示されたアンケート一覧の中から、いずれか任意のアンケート項目を通信端末の操作によって選択すると、選択されたアンケート項目に紐付けされた“アンケート内容定義ファイル”が格納されているＵＲＬにアクセスし、取得した“アンケート内容定義ファイル”に含まれているアンケート内容をディスプレイに画面表示する。“アンケート内容定義ファイル”には、アンケート結果を送信する送付先のＵＲＬ情報も含まれている。
【００２５】
最後に、画面表示したアンケート内容に対するアンケート結果を“アンケート内容定義ファイル”から取得した送付先のＵＲＬに向けて送信する。ここで、“アンケート内容定義ファイル”に含まれているアンケート結果の送付先のＵＲＬを、アンケート結果を求める企業が所有する企業専用サーバのＵＲＬにすれば、アンケート結果を求める企業向けに直接送付することが可能であり、企業にとってリアルタイムなアンケート結果の収集が可能となる。
【００２６】
また、アンケート結果を求める企業は、“アンケートリスト定義ファイル”、“アンケート内容定義ファイル”の双方のファイルフォーマットに設定するために必要になる情報のみを、アンケートサービスを運営管理する専門のサービス提供企業に提供するだけで、アンケート作成からアンケート収集するまでの作業を該サービス提供企業に委託することができ、アンケート結果を容易に入手することが可能となる。
【００２７】
つまり、本発明においては、アンケート形式の大半が、「選択式」か「記述式」かの２つの方法により実現可能であるということに着目して、前述したように、アンケート収集に必要な情報を“アンケート内容定義ファイル”としてフォーマット(ひな形)化している。而して、例えば、エンドユーザに対してアンケートを実施するアンケート収集工程を専門の“サービス提供企業”側で負担することによって、新商品等の開発に関する消費者等の意見を収集したい企業側のアンケート結果収集までの手間や管理負担を軽減することが可能になる。また、“アンケート内容定義ファイル”内の記述内容を変更するだけで、アンケートの質問内容を適宜変更することができるので、アンケート途中段階であっても質問内容を容易に変更することも可能となる。さらには、アンケート結果を、アンケート結果を取得しようとする企業に直接送信することを可能とすることにより、アンケート結果のリアルタイムな取得も可能になる。
【００２８】
また、本発明においては、前述のように、アンケート収集工程を専門の“サービス提供企業“側で一括して負担することが可能であるので、アンケート結果を求める企業側の負担を軽減することができるのみならず、サーバを保有していないような企業であっても容易にインターネット網を利用したアンケート実施が可能である。また、エンドユーザが所持するモバイルルータやスマートフォン等の通信端末のディスプレイ画面を活用して、該エンドユーザのディスプレイ操作から得られるアンケート結果を、アンケート結果を求める企業に直接送信することも可能になるので、前述したように、アンケート結果のリアルタイムな自動収集も可能になる。
【００２９】
（本発明の実施形態の構成例）
次に、本発明に係るアンケート収集システムのシステム構成例について、図１を参照して詳細に説明する。図１は、本発明に係るアンケート収集システムのシステム構成の一例を示すシステム構成図である。図１に示すように、本発明に係るアンケート収集システムは、アンケートの対象者であるエンドユーザが所持する通信端末１０、アンケートサービスを提供するサービス提供企業が運営するアンケートデータサーバ４０、該アンケートサービスを利用してアンケート結果を求めるサービス利用企業が運営するアンケート必要企業データサーバ（アンケート結果受信サーバ）５０、を含んで構成され、インターネット網２０と、通信端末１０、アンケートデータサーバ４０、アンケート必要企業データサーバ５０とはインターネット網２０で接続される。インターネット網２０の通信媒体として、無線電波３０を用いている例を示している。ここで、アンケート必要企業データサーバ５０とは、通信端末１０のエンドユーザが回答したアンケート結果を求める企業が運営する専用のサーバであって、かつ、該アンケート結果を通信端末１０から直接受信することが可能なアンケート結果送付先として指定することができるアンケート結果受信サーバのことである。
【００３０】
また、図１に示すように、通信端末１０は、インターネット網２０との間を無線接続するための無線電波３０の送受信を行う無線通信Ｉ／Ｆ（Interface:インタフェース）部１１、アンケートに関する情報を画面表示するＬＣＤ（Liquid  Crystal  Display：液晶）表示部１２、当該通信端末１０の全体の動作を制御する制御部１３、アンケートに関して取得したデータ情報を解析するデータ解析部１４、を少なくとも備えて構成される。つまり、通信端末１０としては、ＬＣＤ表示部１２を備えた携帯端末、例えば、ＬＣＤ表示部１２を有するスマートフォンやモバイルルータ等のように、インターネット網２０との無線接続機能と通信情報のディスプレイ表示機能および画面操作機能とを備えた一般的な通信端末を想定している。
【００３１】
また、図１に示すように、アンケートサービスを提供するサービス提供企業が運営するアンケートデータサーバ４０は、当該サービス提供企業においてフォーマット化してあらかじめ用意されたファイルとして、全てのアンケート項目に関するアンケートリスト情報を登録したアンケートリスト定義ファイル４１と、各アンケート項目の内容を記載したアンケート内容定義ファイル４２と、を備えるとともに、各アンケート内容に関して通信端末１０側から送信されてくるアンケート結果を格納するアンケート結果格納部４３を備えて構成されている。そして、或るアンケート項目に対するアンケート結果を求めたい企業から、該アンケート項目に関するアンケートを実施するために必要とする情報をアンケートデータサーバ４０が受け取ると、該アンケート項目に関する情報がアンケートリスト情報に追加登録されたアンケートリスト定義ファイル４１が作成され、かつ、該アンケート項目に関するアンケート内容を設定したアンケート内容定義ファイル４２が新しく作成される。
【００３２】
ここで、全てのアンケート項目に関するアンケートリスト情報を登録したアンケートリスト定義ファイル４１にアクセスするための接続情報すなわちアクセス先ＵＲＬ（Uniform  Resource  Locator）については、アンケートサービスを利用するサービス利用企業が運営するアンケート必要企業データサーバ５０（言い換えると当該サービス利用企業専用のアンケート結果受信サーバ）やエンドユーザの通信端末１０からのアクセスが可能なように、固定化したＵＲＬに設定されている。なお、インターネット網２０との間は、図示していないインターネット接続部を用いて、無線電波３０により無線接続する構成例を示しているが、有線ケーブルを介した有線接続であっても差し支えない。
【００３３】
該アンケートサービスを利用してアンケート結果を求めるサービス利用企業が運営するアンケート必要企業データサーバ５０（該サービス利用企業専用のアンケート結果受信サーバ）は、インターネット網２０を介して、サービス提供企業が運営するアンケートデータサーバ４０およびアンケート対象者のエンドユーザが所持する通信端末１０との間の通信が可能である。なお、インターネット網２０との間は、アンケートデータサーバ４０の場合と同様、図示していないインターネット接続部を用いて、無線電波３０により無線接続する構成例を示しているが、有線ケーブルを介した有線接続であっても差し支えない。
【００３４】
（本発明の実施形態の動作の説明）
次に、本発明の一実施形態として図１に示したにアンケート収集システムの動作について、その一例を、図２、図３、図４、図５、図６を参照して、詳細に説明する。まず、図２を参照して、アンケートリスト定義ファイル４１のファイルフォーマットについて説明する。図２は、図１のアンケートデータサーバ４０に備えたアンケートリスト定義ファイル４１のファイルフォーマットの一例を説明するための説明図である。
【００３５】
図２に示すように、アンケートリスト定義ファイル４１は、“アンケートリスト一覧”として、全てのアンケート項目をリスト形式で登録しており、各アンケート項目は、それぞれのアンケート項目を特定するアンケート名情報４１１と当該アンケート項目のアンケート内容を定義しているアンケート内容定義ファイル４２の所在場所を示すアンケート内容定義ファイルＵＲＬ情報４１２とを少なくとも含んで構成される。
【００３６】
図２に示すアンケートリスト定義ファイル４１の登録例においては、＜Ｎｏ．１＞と＜Ｎｏ．２＞との２つのアンケート項目が登録されている場合を例示している。そして、＜Ｎｏ．１＞のアンケート項目は、アンケート名情報４１１が“食品に関するアンケート”であり、また、当該アンケート項目のアンケート内容の所在場所を示すアンケート内容定義ファイルＵＲＬ情報４１２が、「http://provide_service/anke-to/syokuhin/data.txt」である場合を示している。また、＜Ｎｏ．２＞のアンケート項目は、アンケート名情報４１１が“住宅に関するアンケート”であり、また、当該アンケート項目のアンケート内容の所在場所を示すアンケート内容定義ファイルＵＲＬ情報４１２が、「http://provide_service/anke-to/jyuutaku/data.txt」である場合を示している。
【００３７】
図２に示すアンケートリスト定義ファイル４１が、アンケートデータサーバ４０に設定登録されていた場合に、通信端末１０からの取得要求に応じて、該通信端末１０に対して、アンケートリスト定義ファイル４１に含まれる全てのアンケート項目を送信して、通信端末１０のＬＣＤ表示部１２に画面表示させた場合、図３に示すようなアンケートリスト画面がアンケート一覧として画面表示される。図３は、図１の通信端末１０に画面表示したアンケートリスト画面の一例を示す模式図である。
【００３８】
つまり、通信端末１０からアンケートデータサーバ４０に対して、アンケートリスト定義ファイル４１の取得要求を送信すると、図３に示すように、通信端末１０のＬＣＤ表示部１２には、アンケートデータサーバ４０のアンケートリスト定義ファイル４１に設定登録された図２に示す全てのアンケート名情報４１１がアンケート一覧として画面表示され、画面表示された各アンケート名情報４１１には、それぞれに対応するアンケート内容定義ファイルＵＲＬ情報４１２が紐付されている。したがって、通信端末１０のＬＣＤ表示部１２に画面表示されたアンケート名情報４１１のいずれかを選択してクリックまたはタップ操作すると、該アンケート名情報４１１に紐付されたアンケート内容定義ファイルＵＲＬ情報４１２が示す所在場所にアクセスして、該当するアンケート内容定義ファイル４２に含まれているアンケート内容が画面表示されることになる。
【００３９】
図３に画面表示された２つのアンケート名情報４１１すなわち“食品に関するアンケート”、“住宅に関するアンケート”のうち、例えば、“食品に関するアンケート”を通信端末１０のユーザ操作（ＬＣＤ表示部１２のクリック、タップ等の操作）により選択すると、該アンケート名情報４１１に紐付されたアンケート内容定義ファイルＵＲＬ情報４１２が示す所在場所として設定されている「http://provide_service/anke-to/syokuhin/data.txt」にアクセスすることになり、対応する食品に関するアンケート内容が画面表示される。
【００４０】
次に、図４を参照して、アンケート内容定義ファイル４２のファイルフォーマットについて説明する。図４は、図１のアンケートデータサーバ４０に備えたアンケート内容定義ファイル４２のファイルフォーマットの一例を説明するための説明図である。
【００４１】
図４に示すように、アンケート内容定義ファイル４２に収容する必要がある情報として、通信端末１０のＬＣＤ表示部１２に画面表示して、エンドユーザに問い合わせるアンケート内容４２１と、アンケート内容４２１に対してエンドユーザが回答として選択する選択項目が列挙された選択肢情報４２２と、アンケートの回答結果の取得方法を示す結果取得方法情報４２３と、の少なくとも３つの情報がある。なお、本実施形態においては、結果取得方法情報４２３に関しては、都度通知４２３ａと通知なし４２３ｂとの２つのいずれかを選択可能としている。
【００４２】
ここで、都度通知４２３ａとは、アンケート回答がある都度、アンケート結果送付先４２３ａ１に設定されている送付先にアンケート回答を通知する方法であり、リアルタイムなアンケート結果の収集が可能となる。一方、通知なし４２３ｂの場合は、リアルタイムなアンケート結果の通知を実施することなく、アンケート結果をアンケートデータサーバ４０内のアンケート結果格納部４３のアンケート結果格納先４２３ｂ１に示す領域に格納しておくものであって、アンケート結果を求める企業が、能動的に、アンケートデータサーバ４０のアンケート結果格納部４３にアクセスして、アンケート結果を確認するというアンケート結果取得方法である。したがって、アンケート結果を受け取るための自社サーバを保有していない企業の場合は、通常、結果取得方法情報４２３として、通知なし４２３ｂを利用するイメージになる。
【００４３】
図４に示すアンケート内容定義ファイル４２の登録例においては、食品に関するアンケート内容の例が示されており、アンケート内容４２１として“追加してほしいメニューは？”との問い合わせが設定され、選択肢情報４２２には、追加してほしいメニューに関する選択肢として“牛丼”、“天丼”、“カツ丼”の３つの選択項目が設定されている。また、結果取得方法情報４２３については、図４において「SELECT」と付されているように、都度通知４２３ａが選択されていて、都度通知４２３ａに関し、アンケート結果のリアルタイムの通知先を示すアンケート結果送付先４２３ａ１として、アンケート必要企業データサーバ５０の所在場所を示す「http://use_service/12345678/hogehoge」が設定されている。一方、通知なし４２３ｂについては、選択されていないので、アンケート結果格納先４２３ｂ１に無効情報を設定して、実施しないことを示している。
【００４４】
図４に示すアンケート内容定義ファイル４２が、アンケートデータサーバ４０に設定登録されている場合に、通信端末１０に対して、該アンケート内容定義ファイル４２を送信して、通信端末１０のＬＣＤ表示部１２に画面表示させた場合、図５に示すようなアンケート内容画面が表示される。図５は、図１の通信端末１０に画面表示したアンケート内容画面の一例を示す模式図である。
【００４５】
図５に示すように、アンケート内容画面の上段には、アンケート内容定義ファイル４２のアンケート内容４２１の“追加してほしいメニューは？”が画面表示され、その下に、選択肢情報４２２の“牛丼”、“天丼”、“カツ丼”の３つの選択項目が、選択ボタン付きで表示される。また、画面上段右上には、結果取得方法情報４２３の都度通知４２３ａを示す「送信」ボタンが表示され、該「送信」ボタンには、アンケート結果送付先４２３ａ１として設定された「http://use_service/12345678/hogehoge」が紐付されている。
【００４６】
したがって、選択肢情報４２２として表示された３つの選択項目のうち、例えば“牛丼”の選択ボタンをクリックまたはタップ操作して選択してから、「送信」ボタンをクリックまたはタップ操作を行うと、アンケート結果を、アンケート結果送付先４２３ａ１に設定された送付先に、直ちに、送信することができる。
【００４７】
すなわち、ユーザ操作により、選択肢情報４２２の中からいずれかの選択項目例えば“牛丼”を選択して「送信」ボタンを操作することにより、アンケート内容４２１の“追加してほしいメニューは？”に対するアンケート結果として“牛丼”が選択されていることを、リアルタイムで、該「送信」ボタンに紐付されているＵＲＬ情報が示す宛先に対して送信することになる。例えば、アンケート結果送付先４２３ａ１として設定された「http://use_service/12345678/hogehoge」が、該アンケート結果を求める企業が運営しているアンケート必要企業データサーバ５０（すなわちアンケート結果受信サーバ）のＵＲＬであった場合には、当該企業に対して、該アンケート結果がリアルタイムに送信されることになる。
【００４８】
以上のような本実施形態に係るアンケート収集システムにおける通信端末１０のアンケート実施に関する動作について、図６のシーケンスチャートを参照しながらさらに説明する。図６は、図１に示したアンケート収集システムの通信端末１０におけるアンケート実施に関する動作の一例を示すシーケンスチャートである。なお、通信端末１０は、ＬＣＤ表示部１２としてＬＣＤディスプレイを有するスマートフォンやモバイルルータ等の端末機器であり、ＬＣＤディスプレイ上のクリックやタッチ操作等のディスプレイ操作機能およびインターネット接続機能を備えている。
【００４９】
図６のシーケンスチャートにおいて、通信端末１０は、まず、アンケートリスト定義ファイル４１が設定登録されているアンケートデータサーバ４０の固定ＵＲＬ（例えば、「http://provide_service/anke-to/all_list_data.txt」）に、インターネット網２０を介してアクセスして、アンケートリスト定義ファイル４１の取得要求を送信する（シーケンスＡ１）。その結果、通信端末１０は、アンケートデータサーバ４０からアンケートリスト定義ファイル４１を取得する。なお、通信端末１０の前記取得要求を送信する契機としては、例えば、該通信端末１０のユーザ操作によって、アンケートデータサーバ４０からアンケートリスト定義ファイル４１の取得を要求する機能を有するアンケートアプリケーションが起動された場合や該アンケートアプリケーションがあらかじめ定めた時間間隔で定期的に起動される場合など種々な仕組みを採用することができる。
【００５０】
通信端末１０は、データ解析部１４を動作させて、アンケートデータサーバ４０から取得したアンケートリスト定義ファイル４１の中から、全アンケート項目それぞれに関するアンケート名情報４１１、アンケート内容定義ファイルＵＲＬ情報４１２を１セット分ずつアンケート一覧として抽出する（シーケンスＡ２）。そして、通信端末１０は、抽出した全アンケート項目それぞれに関するアンケート名情報４１１を、図３に示したようなアンケート一覧として、ＬＣＤ表示部１２に画面表示する（シーケンスＡ３）。ここで、画面表示されたアンケート名情報４１１は、図３において説明したように、対応するアンケート内容定義ファイルＵＲＬ情報４１２に紐付されている。
【００５１】
しかる後、ＬＣＤ表示部１２に画面表示されたアンケート一覧を視認した通信端末１０のエンドユーザは、該アンケート一覧の中からいずれかのアンケート名情報４１１すなわちアンケート項目を選択して、クリックまたはタッチ操作等のユーザ操作を行う。その結果、通信端末１０は、該アンケート名情報４１１に紐付されているアンケート内容定義ファイルＵＲＬ情報４１２が示すアクセス先（すなわちアンケートデータサーバ４０内のアンケート内容定義ファイル４２の所在場所：例えば「http://provide_service/anke-to/syokuhin/data.txt」）にアクセスして、該当するアンケート内容定義ファイル４２を、通信端末１０側に転送させることにより、通信端末１０は、該当するアンケート内容定義ファイル４２を取得する（シーケンスＡ４）。
【００５２】
通信端末１０は、アンケート内容定義ファイル４２を取得すると、図５に示したように、該アンケート内容定義ファイル４２に含まれているアンケート内容４２１、選択肢情報４２２、および、結果取得方法情報４２３の都度通知４２３ａが選択されていた場合にはアンケート結果送付先４２３ａ１が紐付されている「送信」ボタンを、アンケート内容画面として、ＬＣＤ表示部１２に画面表示する（シーケンスＡ５）。
【００５３】
しかる後、ＬＣＤ表示部１２に画面表示されたアンケート内容画面を視認した通信端末１０のエンドユーザは、該アンケート内容画面の選択肢情報４２２中からいずれかの選択項目を選択した後、「送信」ボタンのクリックまたはタッチ操作等のユーザ操作を行うと、選択した前記選択項目がアンケート回答として含まれたアンケート結果を、「送信」ボタンに紐付されているアンケート結果送付先４２３ａ１が示す送付先（例えば、アンケートの結果を求めている企業が運営しているアンケート必要企業データサーバ５０のＵＲＬ、すなわち、「http://use_service/12345678/hogehoge」）に、直ちに、送信する（シーケンスＡ６）。
【００５４】
なお、図６に示した動作例においては、アンケート内容定義ファイル４２のアンケート結果送付先４２３ａ１として、アンケート結果を求める企業が運営しているアンケート必要企業データサーバ５０のＵＲＬを設定している場合を例示しているが、かかる場合に限るものではなく、例えばアンケート結果をアンケート専用装置に送付するようにしても良いし、任意の送付先を設定することが可能である。
【００５５】
また、アンケート内容定義ファイル４２には、アンケート内容４２１と選択肢情報４２２との組み合わせを用いている場合を例示したが、アンケートの回答として、かくのごとき選択肢情報４２２の中からいずれかの選択項目を選択するという選択形式の回答ではなく、自由な記述による自由記述形式の回答を求めるような形式であっても差し支えない。アンケート回答を自由記述形式とする場合は、アンケート内容定義ファイル４２に、アンケート内容４２１の問い合わせの内容を変更し、選択肢情報４２２の代わりに、自由に記述することができる回答用記述欄を設定するようにすれば良い。
【００５６】
以上のように、本実施形態においては、アンケート結果を求める企業は、アンケート実施に必要とする情報を、アンケートデータサーバ４０に送信するだけで、アンケートデータサーバ４０のアンケートリスト定義ファイル４１およびアンケート内容定義ファイル４２を作成して、アンケートの実施に必要な準備が完了するので、アンケート結果を求める企業にとって、アンケート結果の収集までに要する管理負担を大幅に軽減することができる。
【００５７】
また、アンケート内容定義ファイル４２の結果取得方法情報４２３として都度通知４２３ａを選択して、アンケート結果送付先４２３ａ１として、当該企業が運営しているアンケート必要企業データサーバ５０（すなわちアンケート結果受信サーバ）のＵＲＬ情報を設定しておけば、アンケート結果は、自動的に、アンケート結果送付先４２３ａ１として指定したアンケート必要企業データサーバ５０に対してリアルタイムに送信されてくる。したがって、アンケート結果を求める企業は、該アンケート必要企業データサーバ５０に送信されてくるアンケート結果に関するデータを管理するだけで、必要なアンケート結果を収集することができ、かつ、リアルタイムの収集が可能になる。
【００５８】
また、アンケート結果を求める企業がアンケートの質問内容を変更したい場合は、アンケートデータサーバ４０のアンケートリスト定義ファイル４１、アンケート内容定義ファイル４２に設定する内容を変更するだけで、質問内容を変更することができ、かつ、アンケートの実施中であっても、任意のタイミングで設定内容を変更して、質問内容の変更を行うことが容易に可能である。
【００５９】
さらに、アンケート結果を受信するためのサーバを自社内に備えていないような企業であっても、アンケートを実施したい場合には、図７に示すように、アンケート内容定義ファイル４２の結果取得方法情報４２３として、通知なし４２３ｂを選択して、アンケート結果格納先４２３ｂ１に、アンケートデータサーバ４０のアンケート結果格納部４３内の領域を指定するようにすれば良い。図７は、図１のアンケートデータサーバ４０に備えたアンケート内容定義ファイル４２の図４とは異なるファイルフォーマットの一例を説明するための説明図であり、結果取得方法情報４２３として、図４の場合とは異なり、通知なし４２３ｂを選択している場合を示している。
【００６０】
図７に示すアンケート内容定義ファイル４２の登録例においては、図４の場合と同様、食品に関するアンケート内容の例が示されており、アンケート内容４２１として“追加してほしいメニューは？”との問い合わせが設定され、選択肢情報４２２には、追加してほしいメニューに関する選択肢として“牛丼”、“天丼”、“カツ丼”の３つの選択項目が設定されている。また、結果取得方法情報４２３については、図４の場合とは異なり、「SELECT」と付されているように、通知なし４２３ｂが選択されていて、通知なし４２３ｂに関し、アンケート結果の格納先を示すアンケート結果格納先４２３ｂ１として、アンケートデータサーバ４０のアンケート結果格納部４３内の領域を示す「http://provulide_servulise/anke-to_result/syokuhin/result.html」が設定されている。一方、都度通知４２３ａについては、選択されていないので、アンケート結果送付先４２３ａ１に無効情報を設定して、実施しないことを示している。
【００６１】
したがって、アンケート結果を受信するためのサーバを自社内に備えていないような企業の場合は、アンケート結果格納先４２３ｂ１に示すアンケートデータサーバ４０のアンケート結果格納部４３内の領域にアクセスすることによって、例えば、図８に示すようなアンケート結果が画面表示されて、閲覧することが可能になる。図８は、図１のアンケートデータサーバ４０のアンケート結果格納部４３に格納されたアンケート結果４３１の画面表示例を示す模式図である。
【００６２】
図８のアンケート結果４３１の画面表示例は、食品に関するアンケート内容に関するアンケート結果であり、画面左側には、追加してほしい食品として提示した各選択肢に対する投票数を示し、画面右側には、該投票数を円グラフ表示して示している。なお、アンケート結果格納先４２３ｂ１へのアクセスは、任意のタイミングで実施することが可能であり、アンケート実施中の途中経過を閲覧することも可能である。
【００６３】
（本実施形態の効果の説明）
以上に詳細に説明したように、本実施形態においては、次のような効果が得られる。
【００６４】
第１の効果は、アンケート結果を求める企業は、アンケートの開始からアンケート収集に至るまでに要する作業を大幅に削減することができることである。その理由は、アンケート作成に必要な情報をフォーマット化してアンケートリスト定義ファイル４１とアンケート内容定義ファイル４２としてアンケートデータサーバ４０にあらかじめ用意しているので、アンケート結果を求める企業は、アンケートに必要な最低限の情報のみをアンケートデータサーバ４０へ送信するだけで、フォーマット化したアンケートリスト定義ファイル４１とアンケート内容定義ファイル４２とに設定することができ、アンケート結果を取得することができる仕組みを実現していることにある。而して、街頭アンケートやダイレクトメール送付といったようなアンケート結果の入手までの収集プロセスを全く不要としている。
【００６５】
第２の効果は、アンケート結果を求める企業は、リアルタイムにアンケート結果を入手することが可能となっていることである。その理由は、アンケートデータサーバ４０のアンケート内容定義ファイル４２のフォーマットとして結果取得方法情報４２３をあらかじめ用意して、アンケート結果が得られる都度、アンケート結果送付先４２３ａ１に対して送信する都度通知４２３ａを選択可能とし、かつ、該アンケート結果送付先４２３ａ１として、アンケート結果を求める企業が運営しているアンケート必要企業データサーバ５０を指定することを可能にしているので、該アンケート必要企業データサーバ５０においてアンケート結果をリアルタイムに取得することができることにある。
【００６６】
第３の効果は、アンケート結果を求める企業は、アンケート内容の変更を行うことが容易に可能になっていることである。その理由は、アンケートデータサーバ４０に用意されているアンケートリスト定義ファイル４１やアンケート内容定義ファイル４２に設定した内容を変更するだけで、エンドユーザが使用する通信端末１０に対して問い合わせるアンケート内容を任意の内容に変更することができることにある。
【００６７】
（本発明の実施形態の他の動作の説明）
次に、本発明の一実施形態として図１に示したアンケート収集システムの前述の図６の動作例とは異なる動作について、図９のシーケンスチャートを参照して説明する。図９は、図１に示したアンケート収集システムにおけるアンケート実施に関する動作の図６とは異なる例を示すシーケンスチャートであり、アンケートサービスを提供するサービス提供企業６０と該アンケートサービスを利用してアンケート結果を求めるサービス利用企業７０との間で取り交わされたアンケートサービスの契約に関する動作の一例を示している。
【００６８】
つまり、サービス提供企業６０は、図１に示すアンケートデータサーバ４０を運用管理して、サービス利用企業７０との契約に応じて、サービス利用企業７０に対してアンケートサービスを提供する。また、図９に示す例においては、サービス利用企業７０が、アンケート結果を受信する企業専用サーバを備えている場合を示しており、該企業専用サーバを、図１に示したアンケート必要企業データサーバ５０として指定している場合を示している。また、サービス提供企業６０がサービス利用企業７０との間の契約用の通信に利用する通信サーバとして、図１に示すアンケートデータサーバ４０そのものを利用している場合を示している。なお、ここで、サービス提供企業６０における前記アンケートサービスとして実施される、アンケートデータサーバ４０とエンドユーザの通信端末１０との間のアンケート実施に関する動作については、図６に示した動作と同様であるので、ここでの重複する説明は割愛する。
【００６９】
図９のシーケンスチャートにおいて、前記アンケートサービスを利用してアンケート結果を取得しようとするサービス利用企業７０は、図１に示したアンケート必要企業データサーバ５０として指定しようとする企業専用サーバを用いて、該アンケートサービスを提供するサービス提供企業６０が運用管理するアンケートデータサーバ４０に対して、契約料金に該当する月額利用料３か月分を支払う動作を行う（シーケンスＢ１）。サービス提供企業６０が運用管理するアンケートデータサーバ４０が、月額利用料３か月分を受領すると、支払先の企業専用サーバを運用しているサービス利用企業７０に対して、サービス提供企業６０が提供するアンケートサービスの利用を３か月間許可する。
【００７０】
アンケートサービスの利用を許可されたサービス利用企業７０は、アンケートに対するアンケート結果を求める企業として、当該企業の任意の機器から、例えば、アンケート必要企業データサーバ５０（アンケート結果を受信するサーバ）として指定しようとする企業専用サーバから、アンケートの実施に必要とする情報を、サービス提供企業６０が運用管理するアンケートデータサーバ４０に対して送信する（シーケンスＢ２）。ここで、アンケートの実施に必要とする情報とは、アンケート名情報、アンケート内容、選択肢情報と回答用記述欄とのいずれかを選択する選択情報と前記選択肢情報を選択した場合の選択項目、アンケート結果送付先またはアンケート結果格納先のいずれかを選択する選択情報と選択した側（アンケート結果送付先、アンケート結果格納先のいずれか）の宛先を示す情報、の各情報を少なくとも含む情報のことである。
【００７１】
アンケートデータサーバ４０は、サービス利用企業の任意の機器例えば前記企業専用サーバからアンケートの実施に必要とする情報を受け取ると、該情報に含まれているアンケート内容、選択肢または回答記述欄に関する情報、アンケート結果送付先またはアンケート結果格納先に関する情報に基づいて、図４に示したようなアンケート内容定義ファイル４２を新たに作成して格納するとともに、受け取った該情報に含まれているアンケート名情報、新たに作成して格納した前記アンケート内容定義ファイル４２の格納先を示すＵＲＬ情報に基づいて、図２に示したようなアンケートリスト定義ファイル４１に新たなアンケート項目を追加登録して格納する（シーケンスＢ３）。なお、図９においては、アンケート内容定義ファイル４２の結果取得方法情報４２３として都度通知４２３ａが選択され、アンケート結果送付先４２３ａ１には、前記任意の機器例えば企業専用サーバから受け取ったアンケート結果送付先情報が示す企業専用サーバがアンケート必要企業データサーバ５０として設定される。
【００７２】
この結果、エンドユーザに対するアンケートの実施に関する準備が完了する。したがって、図６のシーケンスチャートに示した動作と同じアンケート実施動作が開始される。すなわち、エンドユーザが使用する通信端末１０からアンケートデータサーバ４０に対してアンケートリスト定義ファイル４１の取得要求が発生すると、シーケンスＢ３にて新たに作成したアンケート項目も含む全てのアンケート項目を有するアンケートリスト定義ファイル４１を、アンケート一覧として、要求元の通信端末１０に対して送信する動作が行われる。そして、通信端末１０は、該アンケート一覧の中から選択したアンケート項目に対応するアンケート内容を含むアンケート内容定義ファイル４２をアンケートデータサーバ４０から取得する。しかる後、通信端末１０においてエンドユーザのアンケート回答が作成される都度、アンケート結果として、アンケート内容定義ファイル４２の結果取得方法情報４２３のアンケート結果送付先４２３ａ１に設定されているアンケート必要企業データサーバ５０に対して、通信端末１０からインターネット網２０を介して直接送信されることになる。
【００７３】
アンケートの実施動作の開始から３か月が経過して、契約期間として月額利用料を納付していたサービス利用企業７０に対するアンケートサービスの提供期間が終了すると、サービス提供企業６０が運用管理するアンケートデータサーバ４０は、当該サービス利用企業７０に該当するアンケート項目をアンケートリスト定義ファイル４１から削除するとともに、当該アンケート項目に関するアンケート内容定義ファイル４２を削除して、当該サービス利用企業７０に対するアンケートサービスを終了する（シーケンスＢ４）。したがって、３か月が経過した以降に、エンドユーザが使用する通信端末１０からアンケートデータサーバ４０に対してアンケートリスト定義ファイル４１の取得要求が発生した場合には、当該サービス利用企業７０に該当するアンケート項目が含まれていないアンケートリスト定義ファイル４１が、アンケート一覧として、要求元の通信端末１０に対して送信されることになる。
【００７４】
以上に説明したように、図９のシーケンスチャートに示したアンケート実施動作においては、アンケートを開始するまでのアンケート作成作業すなわちアンケートリスト定義ファイル４１およびアンケート内容定義ファイル４２の作成作業は、サービス提供企業６０において実施されるので、サービス利用企業７０は、アンケートに必要な最低限の情報のみをサービス提供企業６０に提供するだけで良い。さらには、以降のアンケート実施作業も、サービス提供企業６０側で管理されるので、サービス利用企業７０は、アンケート結果の送信を監視するだけで、アンケート結果を容易に得ることが可能になる。
【００７５】
（本発明の実施形態のさらに異なる動作の説明）
次に、本発明の一実施形態として図１に示したアンケート収集システムの前述の図６、図９の動作例とはさらに異なる動作について、図１０、図１１の模式図、および、図１２のシーケンスチャートを参照して説明する。つまり、前述したアンケート結果送付先４２３ａ１が示すアンケート必要企業データサーバ５０が通信端末１０からのアンケート結果を受信した際に、該アンケート結果の応答（お礼を示す応答）として、アンケート必要企業データサーバ５０からアンケート結果送信元の通信端末１０に対して、クーポンなどのお得情報を返信する動作について説明する。
【００７６】
まず、アンケート必要企業データサーバ５０からアンケート結果送信元の通信端末１０に対して返信するアンケート結果の応答として、図１０に示すようなアンケート応答定義ファイル５１のファイルフォーマットを定義する。図１０は、図１のアンケート必要企業データサーバ５０に備えたアンケート応答定義ファイルのファイルフォーマットの一例を説明するための説明図である。図１０に示す設定例においては、アンケート必要企業データサーバ５０に備えたアンケート応答定義ファイル５１が、アンケート回答に対するお礼に関するものであり、「クーポン値」として“１２３４５６７８９０９８７６５４３２１“を設定している場合を例示している。
【００７７】
図１０に示すアンケート応答定義ファイル５１が、アンケート必要企業データサーバ５０に設定登録されている場合に、通信端末１０に対して、該アンケート応答定義ファイル５１を送信して、通信端末１０のＬＣＤ表示部１２に画面表示させた場合、図１１に示すようなアンケート応答画面が表示される。図１１は、図１の通信端末１０に画面表示したアンケート応答画面の一例を示す模式図である。
【００７８】
図１１に示すように、アンケート応答画面の上段には、“ご協力ありがとうございました”というお礼の言葉が画面表示され、その下に、アンケート応答定義ファイル５１に含まれている「クーポン値」が“クーポン値：１２３４５６７８９０９８７６５４３２１”と画面表示される。
【００７９】
次に、以上のようなアンケート応答画面を画面表示する場合の通信端末１０のアンケート実施に関する動作について、図１２のシーケンスチャートを参照しながらさらに説明する。図１２は、図１に示したアンケート収集システムにおけるアンケート実施に関する動作の図６、図９とは異なる例を示すシーケンスチャートであり、前述のように、通信端末１０からアンケート結果を受け取った際に、アンケート必要企業データサーバ５０からアンケート応答定義ファイル５１が示すアンケート応答を、通信端末１０に返信する動作を示している。
【００８０】
図１２のシーケンスチャートにおいて、シーケンスＣ１からシーケンスＣ６までの各動作内容は、図６のシーケンスＡ１からシーケンスＡ６までの動作内容と全く同様であり、ここでの重複する説明は割愛する。シーケンスＣ６において、通信端末１０からアンケート結果を受信すると、アンケート必要企業データサーバ５０は、図１０に示したようなアンケート応答定義ファイル５１を、アンケート回答に対するお礼として、アンケート結果の送信元の通信端末１０に対して返信する（シーケンスＣ７）。通信端末１０は、アンケート応答定義ファイル５１を受信すると、図１１に示したようなアンケート応答画面（お礼として提供したクーポン値を示す情報）を、ＬＣＤ表示部１２に画面表示する（シーケンスＣ８）。
【００８１】
以上に説明したように、図１２のシーケンスチャートに示したアンケート実施動作においては、アンケート回答を行ったエンドユーザに対しては、お得になるクーポンを提供することになるので、アンケート回答率の向上を図ることができる。さらに、アンケート応答定義ファイル５１は、サービス結果を求める企業すなわちサービス利用企業７０が管理するので、アンケート実施期間中に、クーポン提供等のお得情報の内容を、任意のタイミングで変更することも可能である。
【００８２】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００８３】
１０        通信端末
１１        無線通信Ｉ／Ｆ部
１２        ＬＣＤ表示部
１３        制御部
１４        データ解析部
２０        インターネット網
３０        無線電波
４０        アンケートデータサーバ
４１        アンケートリスト定義ファイル
４２        アンケート内容定義ファイル
４３        アンケート結果格納部
５０        アンケート必要企業データサーバ（アンケート結果受信サーバ）
５１        アンケート応答定義ファイル
６０        サービス提供企業
７０        サービス利用企業
４１１      アンケート名情報
４１２      アンケート内容定義ファイルＵＲＬ情報
４２１      アンケート内容
４２２      選択肢情報
４２３      結果取得方法情報
４２３ａ    都度通知
４２３ｂ    通知なし
４２３ａ１  アンケート結果送付先
４２３ｂ１  アンケート結果格納先
４３１      アンケート結果
【図１】
2018169726.tif 000003
【図２】
2018169726.tif 000004
【図３】
2018169726.tif 000005
【図４】
2018169726.tif 000006
【図５】
2018169726.tif 000007
【図６】
2018169726.tif 000008
【図７】
2018169726.tif 000009
【図８】
2018169726.tif 000010
【図９】
2018169726.tif 000011
【図１０】
2018169726.tif 000012
【図１１】
2018169726.tif 000013
【図１２】
2018169726.tif 000014